(57)【要約】      （修正有）【課題】使用者側からは視認可能であるが、向かい側から視認できなくなる電卓用視野角制御フィルム並びに電卓を提供する。【解決手段】電卓用視野角制御フィルム１は、光透過帯２１と遮光帯２２とが交互に配されたルーバー層２０を備え、該遮光帯２２がルーバー層２０の厚み方向に対して１０〜３０°の範囲で傾斜しており、視野角が９０〜１４０°の範囲内であることを特徴とし、粘着層１４を有することが好ましい。また、本発明の電卓２は、光透過帯２１と遮光帯２２とが交互に配され、該遮光帯２２が使用者側に向かって１０〜３０°の範囲で傾斜し、視野角が９０〜１４０°の範囲内であるルーバー層２０を情報表示画面１５に備えた。【選択図】図４
2008102278.tif 000002
【特許請求の範囲】
【請求項１】
光透過帯と遮光帯とが交互に配されたルーバー層を備え、該遮光帯がルーバー層の厚み方向に対して１０〜３０°の範囲で傾斜しており、視野角が９０〜１４０°の範囲内であることを特徴とする電卓用視野角制御フィルム。
【請求項２】
粘着層を有することを特徴とする請求項１記載の電卓用視野角制御フィルム。
【請求項３】
光透過帯と遮光帯とが交互に配され、該遮光帯が使用者側に向かって１０〜３０°の範囲で傾斜し、視野角が９０〜１４０°の範囲内であるルーバー層を情報表示画面に備えたことを特徴とする電卓。
【発明の詳細な説明】
【技術分野】
【０００１】
本発明は、電卓の情報表示画面に適用し、該情報表示画面に表示された内容が前方から覗かれない電卓用視野角制御フィルム、及び当該機能を備えた電卓に関する。
【背景技術】
【０００２】
例えば携帯電話、携帯情報端末、カード等の暗証番号入力端末等からなる情報表示体の情報表示画面に適用される覗き見防止体として、図６に示すような、平行に光透過帯３１と、遮光帯３２が交互に配されたルーバー層を備えたものが知られている（例えば、特許文献１）。かかる構成の覗き見防止体によれば、使用者からの情報表示画面の視認性を損なうことなく、側方からの覗き見を防止することができる。
【特許文献１】特開２００３−１３１２０２号公報
【発明の開示】
【発明が解決しようとする課題】
【０００３】
上記の覗き見防止体は使用者側の左右側方からの覗き見を防止することを目的としている。しかしながら、状況によっては使用者の前方からの覗き見を防止したいときがある。たとえば、商談における価格交渉において、電卓の情報表示画面を向かい側の商談相手から覗かれたくないときである。したがって、図６に示す矢印Ａで示すような表示画面の使用者の向かい側となる方向からの覗き見も防止できるようにすることが必要となる。
【０００４】
本発明は、上記課題を解決するためになされたものであって、使用者側からは視認可能であるが、向かい側から視認できなくなる電卓用視野角制御フィルム並びに電卓を提供することを目的とする。
【課題を解決するための手段】
【０００５】
本発明の電卓用視野角制御フィルムは、光透過帯と遮光帯とが交互に配されたルーバー層を備え、該遮光帯がルーバー層の厚み方向に対して１０〜３０°の範囲で傾斜しており、視野角が９０〜１４０°の範囲内であることを特徴とする。
本発明の電卓用視野角制御フィルムは、粘着層を有することが好ましい。
【０００６】
本発明の電卓は、光透過帯と遮光帯とが交互に配され、該遮光帯が使用者側に向かって１０〜３０°の範囲で傾斜し、視野角が９０〜１４０°の範囲内であるルーバー層を情報表示画面に備えたことを特徴とする。
【発明の効果】
【０００７】
電卓用視野角制御フィルムを情報表示画面に適用した電卓によって、使用者側の視認性を損なうことなく、向かい側からの電卓の情報表示画面の視認を防止できる。
【０００８】
さらに、本発明の電卓によって、使用者側の視認性を損なうことなく、向かい側からの電卓の情報表示画面の視認を防止できる。
【発明を実施するための最良の形態】
【０００９】
図１は本発明の電卓用視野角制御フィルムの一実施形態を分解して示した分解斜視図である。なお、図面は電卓用視野角制御フィルムの一部を拡大して模式的に示している。
図１において、電卓用視野角制御フィルム１の厚さ方向をＺ方向とし、該電卓用視野角制御フィルム１が情報表示画面上に取り付けられた状態で、視認側となる方をＺ１側、情報表示画面側となる方をＺ２側とする。
またＺ方向に垂直な面内における互いに垂直な二方向をそれぞれＸ方向、Ｙ方向とし、該電卓用視野角制御フィルム１が情報表示画面上に取り付けられた状態で、情報表示画面の左右方向をＸ方向とし上下方向をＹ方向とする。また、使用者が情報表示画面を見るときに、使用者側となる方をＹ１側、向かい側となる方をＹ２側とする。
【００１０】
本実施形態の電卓用視野角制御フィルム１は、厚さ方向において、情報表示画面側（Ｚ２側）から順に、粘着層１４、ルーバー層２０、および透明樹脂層１３が順に積層され、互いに一体化されている。
Ｘ―Ｙ平面（Ｚ方向に垂直な面）内における、電卓用視野角制御フィルム１の全体の平面形状は、例えば矩形であるが、適用する情報表示画面の形状に応じて適宜変更できる。
【００１１】
ルーバー層２０は、光透過帯２１と遮光帯２２とがＹ方向において交互に配されている。ルーバー層２０における光透過帯２１および遮光帯２２はいずれもＸ方向に帯状に延びている。また、ルーバー層２０における遮光帯２２は、ルーバー層２０の表面に対して斜めに設けられている。すなわち、ルーバー層２０の表面の法線方向（Ｚ方向）つまりルーバー層２０の厚み方向と遮光体２２とがなすルーバー角α１は１０〜３０°の範囲内であることが必要であり、２０°度前後がより好ましい。ルーバー角α１が大きくなるほど、電卓用視野角制御フィルム１を電卓情報表示画面上に適用したとき、向かい側からの視認が難しくなる反面、使用者側の高い位置からの視認が難しくなる。また、ルーバー角α１が小さくなるほど、使用者側からの良好な視認性を確保できる反面、向かい側から覗き見されやすくなる。前記ルーバー角α１が上記の範囲内であれば、向かい側からの覗き見されにくくなると共に、使用者側からの良好な視認性を確保することができる。
【００１２】
光透過帯２１の材料としては、透明性が高い樹脂が用いられる。具体的には、光透過帯２１のみに対して、図中Ｚ方向に光を透過させたときの光線透過率が７５％以上、好ましくは８５％以上であるような、高い透明性を有する樹脂材料が好ましい。例えば、透明性が高い熱可塑性樹脂や熱硬化性樹脂が用いられ、具体例としては、セルロース系樹脂、ポリオレフィン系樹脂、ポリエステル系樹脂、シリコーン樹脂、ポリスチレン樹脂、ポリ塩化ビニル樹脂、アクリル樹脂、ポリカーボネート樹脂等が挙げられる。中でもシリコーン樹脂が好ましく、特に耐熱性の点でシリコーンゴムが特に好ましい。
なお、本明細書における「光線透過率」の値は、光源としてＪＩＳ  Ｚ  ８７２０に規定されるＤ６５を用い、光源から出射された検査光の強度を受光センサーで測定する装置において、前記検査光の光路上に被測定物が無い状態での受光センサーの出力値をＡ、検査光の光路上に被測定物をセットし、被測定物を透過した透過光が受光センサーで受光される状態での出力値をＢとするとき、光線透過率＝（Ｂ／Ａ）×１００（単位；％）で求められる値とする。
【００１３】
遮光帯２２の材料としては、光透過帯２１の材料として上記に挙げた樹脂を基材とし、これに顔料や染料等の着色剤を添加してなる着色樹脂が好適に用いられる。遮光帯２２の色調は、遮光帯２２における好ましい遮光性が得られればよく、例えば黒、赤、黄、緑、青、水色等とすることができる。遮光帯２２の色調は、着色剤の種類および添加量によって調整できる。具体的には、遮光帯２２のみに対して、その幅方向に光を透過させたときの光線透過率が４０％以下、好ましくは１０％以下となるような遮光性を有することが好ましい。
着色剤の具体例としては、カーボンブラック、ベンカラ、酸化鉄、酸化チタン、黄色酸化鉄、ジスアゾイエロー、フタロシアニンブルー等の一般的な有機顔料あるいは無機顔料が挙げられる。着色剤は１種でもよく、２種以上を用いてもよい。また黒色顔料を用いない場合は、良好な遮光性を得るために白色顔料を併用することが好ましい。
【００１４】
図２は本実施形態の電卓用視野角制御フィルム１をＹ―Ｚ平面で切断した断面図である。ルーバー層２０において、Ｙ―Ｚ平面（図２における紙面）内における視野角θ１は、電卓用視野角制御フィルム１を情報表示画面上に適用したときの、画面上下方向における視野角に相当する。
ルーバー層２０における光透過帯２１の幅Ｗ２１と遮光帯２２の幅Ｗ２２は、光透過帯２１と遮光帯２２との界面に対して垂直な方向における幅とする。
ルーバー層２０において、Ｚ方向に平行な光線の透過率は、ルーバー層２０における光透過帯２１の幅Ｗ２１と遮光帯２２の幅Ｗ２２の比、およびルーバー層２０の表面の法線方向（Ｚ方向）と遮光帯２２とのなすルーバー角α１の影響を受ける。
具体的に、ルーバー層２０における前記視野角θ１は９０〜１４０°の範囲にあることが必要であり、より好ましくは１００〜１３０°である。また特に、Ｚ方向よりもＹ１側（使用者側）における視野角の大きさθ３は６５〜９０°が好ましく７０〜８５°がより好ましい。
ルーバー層２０における光透過帯２１の幅Ｗ２１は、５０μｍ〜０．３ｍｍの範囲内が好ましく、７５μｍ〜０．２ｍｍの範囲内がより好ましい。
および遮光帯２２の幅Ｗ２２は、５μｍ〜５０μｍの範囲内が好ましく、１５μｍ〜３０μｍの範囲内がより好ましい。ルーバー層２０のＺ方向における厚さＴ２は、０．１〜２．５ｍｍ程度が好ましく、０．１４〜０．４ｍｍ程度がより好ましい。
【００１５】
かかる構成のルーバー層２０の製造は、ブロック体（シート積層物）を用い、該ブロック体をシート表面に対して斜めにスライスすればよい。
すなわち、図３に示すように、光透過帯２１の構成材料からなり厚さが上記Ｗ２１である第１のシート２１ａの複数枚と、遮光帯２２の構成材料からなり厚さが上記Ｗ２２である第２のシート２２ａの複数枚とを交互に積層し、加熱および加圧してこれら複数のシートが一体化してなるブロック体を形成する。次いで、該ブロック体をシート表面に対して所定の角度α２（α２＝９０°＋α１）となる斜めの切断面でスライスすることによりルーバー層２０が得られる。スライスする際の厚さ（スライス幅）は上記Ｔ２である。
【００１６】
透明樹脂層１３の材料としては、上記光透過帯２１の材料として上記に挙げた樹脂を用いることができる。透明樹脂層１３の単体に対して、図中、Ｚ方向に光を透過させたときの光線透過率が７５％以上であることが好ましく、８５％以上であることがより好ましい。
透明樹脂層１３の材料は、特に、透明性と耐熱性の点からポリカーボネート樹脂、ポリエステル系樹脂、アクリル樹脂、ポリオレフィン系樹脂（特に、シクロオレフィンポリマー）、セルロース系樹脂が好ましく、中でもポリカーボネート、およびポリエステル樹脂がより好ましい。
透明樹脂層１３のＺ方向における厚さは、薄すぎると十分な保護機能が得られず、厚いほど光線透過率が低下するので、０．０１〜０．５ｍｍ程度が好ましく、０．１〜０．２ｍｍ程度がより好ましい。
【００１７】
ルーバー層２０と透明樹脂層１３とを一体化させる方法は特に限定されず、公知の手法を適宜用いることができる。
例えば、ルーバー層２０の表面に接着剤を塗布し、透明樹脂層１３の材料からなるシートを貼り合わせた後、接着剤を硬化させる方法でもよい。このとき用いる接着剤は硬化後における光線透過率が高いものが好ましい。具体的には、硬化後の接着剤層の単体における光線透過率が６５％以上であるものが好ましく、８０％以上がより好ましい。
かかる接着剤としては、硬化後に透明性を有する、熱硬化型接着剤、多液反応型接着剤、紫外線硬化型接着剤等が挙げられ、具体的にはエポキシ系接着剤、ウレタン系接着剤、アクリル系接着剤、メラミン系接着剤、ポリエステル系接着剤、シリコーン系接着剤等を好適に用いることができる。
【００１８】
本実施形態の電卓用視野角制御フィルム１は、粘着層１４によって電卓の情報表示画面上に接着、固定されることが好ましい。
このとき、容易に再剥離できるように接着してもよく、あるいは容易には剥離できない程度の接着強度で接着してもよく、用途に応じて選択できる。
容易に再剥離可能に接着する場合、粘着層１４の材料は再剥離可能な粘着力を有するものであればよく、透明性が高いものが好ましい。また情報表示画面から剥離したときに糊残りが少ないものが好ましい。例えば、粘着層１４は再剥離可能な粘着剤として市販されている材料からなる層や、エラストマー（低架橋密度品のゲル状物質を含む）からなる表面（情報表示画面との接着面）を鏡面加工した層であることが好ましい。前記再剥離可能な粘着剤の具体例としては、アクリル系粘着剤、ウレタン系粘着剤、ゴム系粘着剤等が挙げられる。前記エラストマーの具体例としては、シリコーンゴム、シリコーンゲル、ウレタンゴム、ウレタンゲル等が挙げられる。これらの中でも、糊残りが少なく、透明性が高い点でシリコーンゴムが特に好ましい。
【００１９】
さらに、容易には剥離できない程度に接着する場合、粘着層１４の材料は、充分な接着力を有し透明性が高いものが好ましい。具体例としてはアクリル系粘着材、ウレタン系粘着材等が挙げられる。これらの中でもアクリル系粘着材が接着力の点でより好ましい。
【００２０】
電卓用視野角制御フィルム１の全体における光線透過率は６０％以上であることが好ましく、７５％以上であることがより好ましい。該光線透過率の上限は高い方が好ましいが、視野角制御機能を達成するためには９０％程度が限界である。
【００２１】
上述した電卓用視野角制御フィルム１であれば、図４に示すように、電卓２の情報表示画面１５上に粘着層１４を貼り付けることで容易に固定される。
本発明の電卓用視野角制御フィルム１は、粘着層１４で電卓の情報表示画面１５上に貼り合わされるが、その際、遮光帯２２がルーバー層２０の厚み方向に対して使用者側に傾斜するように使用される、つまり、電卓２の使用者側から見て、Ｘ方向が情報表示画面の左右方向、かつＹ１側が使用者の使用者側、Ｙ２側が向かい側となるよう使用される。
【００２２】
本発明の電卓用視野角制御フィルム１が情報表示画面に適用された電卓２によれば、電卓の情報表示画面は使用者側からは視認可能であるが、使用者の向かい側からの視認が防止される。    
さらに、電卓用視野角制御フィルム１は粘着層１４を有することで、電卓の情報表示画面上に容易に固定される。
【００２３】
本発明における電卓３は図５に示すように、前記のルーバー層２０が情報表示画面１７に内臓されたことを特徴とする。ルーバー層２０はルーバー角α１が使用者側に傾くように内蔵されていれば、情報表示画面上１７にどのように備えられても良い。
たとえば、ディスプレイ表面１６の下層にルーバー層２０および透明樹脂層１３が順に積層され固定され、一体化されて、電卓３となる。また、電卓の構成によってはディスプレイ表面１６の下層にルーバー層２０が内臓されているだけでも良い。
ここで、透明樹脂層１３の材料や、ルーバー層２０と透明樹脂層１３の一体化させる方法については、上記にされているものでよい。また、ディスプレイ表面１６の材料は透明樹脂層１３と同質のものが使用され、ルーバー層２０とディスプレイ表面１６の一体化についても、上記にされているルーバー層２０と透明樹脂層１３の一体化させる方法と同じでよい。
透明樹脂層１３の厚さは、薄すぎると十分な支持保護機能が得られず、厚いほど光線透過率が低下するので、０．０３〜０．５ｍｍ程度が好ましく、０．１〜０．２ｍｍ程度がより好ましい。
ディスプレイ表面１６も、薄すぎると十分な支持保護機能が得られず、厚いほど光線透過率が低下するので、０．１〜０．５ｍｍ程度が好ましく、０．２〜０．３ｍｍ程度がより好ましい。
また、該遮光帯が使用者側に向かって傾斜するルーバー角α１は１０〜３０°の範囲内となる必要があり、より好ましくは２０°度前後となる。
さらに、電卓２における、ルーバー層２０における使用者側から上下方向の視野角θ１は９０〜１４０°の範囲である必要があり、より好ましくは１００〜１３０°となる。また特に、使用者側における視野角の大きさθ３は６５〜９０°が好ましく７０〜８５°がより好ましい。
電卓３の全体における光線透過率は６０％以上であることが好ましく、７５％以上であることがより好ましい。
【００２４】
本発明に係る電卓３によれば、電卓の情報表示画面は使用者側からは視認可能であるが、遮光帯２２の向きが使用者側に向かって傾斜するように設けられたルーバー層２０によって、使用者の向かい側からの視認が防止される。
【実施例】
【００２５】
以下に実施例を挙げるが、本発明は本実施例に限定されるものではない。
図１〜２に示す構成の電卓用視野角制御フィルム１を製造した。
まず、光透過帯２１として透明シリコーンゴム（信越化学工業社製、商品名；ＫＥ１５３Ｕ）からなる厚さが２００μｍの第１のシートを用意した。
これとは別に、遮光帯２２として透明シリコーンゴム（信越化学工業社製、商品名；ＫＥ１５３Ｕ）１００質量部に対してカーボンブラックを１５質量部添加した材料からなる厚さが２０μｍの第２のシートを用意した。
第１のシート複数枚と第２のシート複数枚とを交互に積層し、加熱加硫および加圧してこれら複数のシートが一体化してなるブロック体を形成した。
また同じブロック体を図４に示す角度α２が１１０°となる斜めの切断面で、厚さ（Ｔ２）３６０μｍにスライスすることによりルーバー層２０を作製した。ルーバー層２０における遮光帯２２のＺ方向に対するルーバー角α１は２０°であった。
【００２６】
またルーバー層２０の面上に、二液硬化型シリコーンゴム（信越化学工業社製、商品名；ＫＥ１９３５）を用いて、スクリーン印刷法により粘着層１４を形成した。
またルーバー層２０の他方の面に、熱硬化型接着剤（信越化学工業社製、商品名；ＫＥ１８２５）を塗布したポリカーボネートシート（透明樹脂層１３）を貼り合わせて、該接着剤を熱硬化させた。
上記で作成した電卓用視野角制御フィルム１を粘着層１４によって電卓２の情報表示画面上に固定した。
こうして得られた電卓２において、Ｙ―Ｚ平面内における視野角θ１は１２０°であり、Ｙ方向における視野角のうちＹ２側（向かい側）の視野角θ２は４０°、Ｙ１側（使用者側）の視野角θ３は８０°であった。また全体の光線透過率はＸＸ％であった。
この実施例の電卓の情報表示画面は使用者側からは視認良好であるが、使用者の向かい側からの視認は防止されていた。
【図面の簡単な説明】
【００２７】
【図１】本発明の実施形態を示す分解斜視図である。
【図２】図１のＹ−Ｚ平面における断面図である。
【図３】ルーバー層の製造方法の説明図である。
【図４】本発明の電卓用視野角制御フィルムを電卓に適用した一実施例を示した模式図である。
【図５】本発明の電卓の一例を模式的に示した断面図である。
【図６】携帯電話等に用いられる覗き見防止体の一例を模式的に示した平面図である。
【符号の説明】
【００２８】
１…電卓用視野角制御フィルム
２…電卓
３…電卓
１４…粘着層
１５…情報表示画面
１７…情報表示画面
２０…ルーバー層
２１…光透過帯
２２…遮光帯
α１…ルーバー角
θ１…視野角
【図１】
2008102278.tif 000003
【図２】
2008102278.tif 000004
【図３】
2008102278.tif 000005
【図４】
2008102278.tif 000006
【図５】
2008102278.tif 000007
【図６】
2008102278.tif 000008